(57)【特許請求の範囲】
【請求項１】
底プレートと、前記底プレートの外周縁に連設された側壁とを備える箱本体と、
天プレートと、前記天プレートの外周縁に連設された周壁とを備える蓋体と
を備える収納箱であって、
前記箱本体と前記蓋体は、前記側壁と前記周壁に設けた少なくとも一の位置決連結部を介して所定の位置に連結されるようにしており、
前記位置決連結部は、前記周壁に設けられた係合部と、前記係合部に対向して前記側壁に設けられた被係合部とを備え、前記係合部が前記被係合部に係合されて、前記箱本体と前記蓋体とを所定の位置で連結しており、
前記係合部は、前記周壁に形成されて下方に突出する挿入片と、前記挿入片の両側に形成されて、前記挿入片の挿入位置を特定する位置決め部とを備え、
前記位置決め部は、前記挿入片の両側に形成された凹部の底縁の直線状の部分であり、
前記被係合部は、前記側壁の外周面に開口されて、前記挿入片が挿入される挿入部を備えており、
前記挿入片が前記挿入部に挿入されると共に、前記位置決め部を前記挿入部の開口縁に当接又は接近させて、前記側壁で前記周壁を位置決めしながら支持しており、
前記箱本体と前記蓋体は、前記側壁の高さ（ｈ）が前記周壁の高さ（Ｈ）よりも低く形成されると共に、前記側壁と前記周壁に設けた複数の位置決連結部を介して所定の位置に連結されてなることを特徴とする収納箱。
【請求項２】
請求項１に記載の収納箱であって、
前記箱本体は、前記底プレートを長方形とすると共に、前記底プレートの４辺に第１〜第４の側壁を連結して備えており、
互いに対向する第１の側壁及び第３の側壁は、前記第１の側壁の高さ（ｈ１）が前記第３の側壁１２Ｃの高さ（ｈ３）よりも高く形成されてなることを特徴とする収納箱。
【請求項３】
請求項１又は２に記載の収納箱であって、
前記周壁は、前記係合部が形成されない領域において、その下端が前記箱本体の下端まで延長されており、
前記係合部を前記被係合部に係合させて、前記蓋体を前記箱本体の所定の位置に連結する状態で、前記蓋体の下端縁が前記箱本体の底面と同一平面上に配置されてなることを特徴とする収納箱。
【請求項４】
請求項１に記載の収納箱であって、
前記箱本体は、前記底プレートを長方形とすると共に、前記底プレートの４辺に第１〜第４の側壁を連結して備えており、
互いに対向する第１の側壁及び第３の側壁は、前記第１の側壁の高さ（ｈ１）が前記第３の側壁１２Ｃの高さ（ｈ３）よりも高く形成されており、
前記箱本体と前記蓋体は、前記第１の側壁の高さ（ｈ１）が、前記周壁の高さ（Ｈ）と等しく、あるいは前記周壁の高さ（Ｈ）より高く形成されており、前記第１の側壁の上端を前記蓋体の前記天プレートに当接させて、前記第１の側壁で前記蓋体を支持することを特徴とする収納箱。
【請求項５】
請求項１から４のいずれか一に記載の収納箱であって、
前記箱本体の前記底プレート及び前記蓋体の前記天プレートが長方形であって、長方形の対向する辺に配設された前記側壁と前記周壁に前記位置決連結部を設けてなることを特徴とする収納箱。
【請求項６】
請求項５に記載の収納箱であって、
前記箱本体と前記蓋体が、長方形の長辺側に設けた前記側壁と前記周壁に前記位置決連結部を設けてなることを特徴とする収納箱。
【請求項７】
請求項５に記載の収納箱であって、
前記箱本体と前記蓋体が、長方形の４辺に設けた前記側壁と前記周壁に前記位置決連結部を設けてなることを特徴とする収納箱。
【請求項８】
請求項１から７のいずれか一に記載の収納箱であって、
前記蓋体を上下反転させて、前記挿入片を上向きの姿勢として前記箱本体の下方に配置し、さらに、前記箱本体を上方開口の姿勢で前記蓋体の前記周壁の開口部の内側に配置し、
前記挿入片を前記挿入部に挿入して、前記位置決め部を前記挿入部の開口縁に当接又は接近させて、前記周壁で前記側壁を位置決めしながら支持して、前記箱本体を上方開口の姿勢で前記蓋体の開口部の所定の位置に配置可能とすることを特徴とする収納箱。
【請求項９】
請求項４に記載の収納箱であって、
前記箱本体と前記蓋体が、前記第３の側壁と、該第３の側壁と対向する周壁にのみ前記位置決連結部を設けてなることを特徴とする収納箱。
【請求項１０】
請求項４ないし９のいずれか一に記載の収納箱であって、
前記蓋体は、長方形の天プレートの長辺側に連結された第１の周壁及び第３の周壁に折曲ラインを設けており、前記折曲ラインは、長方形の天プレートの短辺側に連結された第２の周壁及び第４の周壁を前記天プレートに積層する方向に、前記第１の周壁及び第３の周壁を折曲可能としており、
前記折曲ラインで前記第１の周壁及び第３の周壁を折曲して、第２の周壁及び第４の周壁を前記天プレートに積層させて、前記蓋体をコンパクトに折り畳みできるようにしてなることを特徴とする収納箱。
【請求項１１】
請求項１ないし１０のいずれか一に記載の収納箱であって、
前記被係合部が、前記側壁に形成されて前記挿入部を拡開する押し込み片を備えることを特徴とする収納箱。
【請求項１２】
請求項１ないし１１のいずれか一に記載の収納箱であって、
前記箱本体の側壁は、前記底プレートの外周縁に連設された外側壁と、前記外側壁の内側に連設された内側壁とを備える二重壁構造としており、
前記外側壁に前記被係合部が形成されると共に、前記外側壁と前記内側壁の間に前記挿入片が挿入されてなることを特徴とする収納箱。
【請求項１３】
請求項１ないし１２のいずれか一に記載の収納箱であって、
前記箱本体は、前記底プレートと前記側壁とを連結するコーナー部に面取り部を備え、
前記蓋体は、前記面取り部と対向する前記周壁の下端部に、前記面取り部を露出させる切欠部を備えることを特徴とする収納箱。
【発明の詳細な説明】
【技術分野】
【０００１】
本発明は、収納物を収納する収納箱に関する。
【背景技術】
【０００２】
進物等の収納物を収納する容器として、紙製の収納箱が利用されている。一般的な紙製の収納箱は、収納物を収納可能な容器状の箱本体と、箱本体の上方開口部を閉塞しながら箱本体の外周を被覆する蓋とからなる。このような収納箱は、近年のエコ志向の高まりから、使用する紙の量を低減することが求められている。このため、収納箱の箱本体の背丈を蓋よりも低くした収納箱が開発されている。例えば、引用文献１には、蓋の隣接する側壁間の稜線の上部に、側壁に連続する係止段部を設け、係止段部を内向きに折り込んで糊代部を隣接する他方の側壁に粘着することにより、係止段部を隣接する側壁の稜線から内向きに突出させる構造が記載されている。この構造の蓋は、箱本体に被せたとき、係止段部が箱本体の周壁の上端に当接して係止される。このようにすると箱本体の周壁の高さを低くすることができるので、収納箱を製造するために使用する原紙の量を削減することができる。
【先行技術文献】
【特許文献】
【０００３】
【特許文献１】特開２００４−２５６１７２号公報
【発明の概要】
【発明が解決しようとする課題】
【０００４】
ただ、以上の構造の蓋は、係止段部が蓋の内面から内向きに突出する構造のため、この係止段部を大きくすることができない。それは、係止段部を大きくして突出量が大きくなると、収納箱に収納された収納物に係止段部の先端が接触して、収納物を変形させたり破損する虞があるからである。このため、この蓋は、係止段部の大きさや形状に制約を受け、とくに、係止段部の突出量を大きく設計できない。突出量の小さい係止段部は、箱本体の周壁の上端に確実に当接させて支持するのが難しくなるばかりか、強度も弱くなってしまう。したがって、蓋に大きな荷重がかかり、この荷重が係止段部と箱本体の上端との係止部分に集中すると、係止段部と箱本体の上端との係止状態が解除されたり、係止段部が潰れてしまうことがある。この状態になると、蓋の上壁が荷重で押し下げられて収容物に当接し、収容物が変形したり破損したりする問題が生じる。
【０００５】
本発明は、以上のような問題点を解決するためになされたものである。本発明の目的の一は、箱本体の高さを蓋の高さよりも低くして、収納箱の製造に使用する原紙の量を低減しながら、蓋に荷重がかかる状態においても、蓋の上壁が収納物に当接するのを防止して収納物を保護できる収納箱を提供することにある。
【課題を解決するための手段及び発明の効果】
【０００６】
本発明の一の収納箱によれば、底プレート１１とこの底プレート１１の外周縁に連設された側壁１２とを備える箱本体１と、天プレート２１とこの天プレート２１の外周縁に連設された周壁２２とを備える蓋体２とを備える収納箱であって、箱本体１と蓋体２は、側壁１２と周壁２２に設けた少なくとも一の位置決連結部３を介して定位置に連結されるようにしており、位置決連結部３は、周壁２２に設けられた係合部４と、係合部４に対向して側壁１２に設けられた被係合部５とを備え、係合部４が被係合部５に係合されて、箱本体１と蓋体２とを定位置で連結している。係合部４は、周壁２２に形成されて下方に突出する挿入片４１と、挿入片４１の両側に形成されて、挿入片４１の挿入位置を特定する位置決め部４２とを備えており、この位置決め部４２は、挿入片４１の両側に形成された凹部４３の底縁の直線状の部分である。被係合部５は、側壁１２の外周面に開口されて、挿入片４１が挿入される挿入部５１を備えている。収納箱は、挿入片４１が挿入部５１に挿入されると共に、位置決め部４２を挿入部５１の開口縁５２に当接又は接近させて、側壁１２で周壁２２を位置決めしながら支持する。
【０００７】
上記構成により、箱本体と蓋体は、周壁に設けた係合部を側壁に設けた被係合部に係合する位置決連結部を介して所定の位置で連結される。このため、蓋体にかかる荷重を周壁と側壁の連結部分で支持して、蓋体にかかる荷重によって収納箱が変形して蓋体が収納物に接触するのを確実に防止し、収納された収納物が変形したり破損するのを確実に防止できる。とくに、本発明の収納箱は、係合部が周壁に設けた挿入片とこの挿入片の両側に形成された位置決め部とを備え、被係合部が側壁の外周面に開口された挿入部を備えて、挿入片を挿入部に挿入して、挿入部の開口縁に位置決め部を当接又は接近させて側壁で周壁を位置決めしながら支持するので、係合部と被係合部とを簡単な構造としながら、係合部と被係合部とを確実に係合させて箱本体と蓋体とを正確な位置に位置決めしながら連結できる。
【０００８】
さらに本発明の収納箱は、箱本体１と蓋体２が、側壁１２の高さ（ｈ）を周壁２２の高さ（Ｈ）よりも低く形成して、側壁１２と周壁２２に設けた複数の位置決連結部３を介して定位置に連結することができる。
【０００９】
上記構成により、側壁の高さを周壁の高さよりも低く形成することで、収納物を箱本体から突出させる状態で収納しながら、蓋体を外した状態では、収納物の上部を箱本体から露出させて、収納物の外装や表示を外部から視認できる。また、箱本体の側壁を低くすることで、箱本体に使用する紙の量を削減して製造コストを低減できる特徴が実現できる。
【００１０】
本発明の収納箱は、箱本体１が底プレート１１を長方形として、底プレート１１の４辺に第１〜第４の側壁１２Ａ、１２Ｂ、１２Ｃ、１２Ｄを連結して備え、互いに対向する第１の側壁１２Ａ及び第３の側壁１２Ｃは、第１の側壁１２Ａの高さ（ｈ１）を第３の側壁１２Ｃの高さ（ｈ３）よりも高く形成することができる。
【００１１】
上記構成により、箱本体の底プレートの４辺に設けた第１〜第４の側壁のうち、第１の側壁を第３の側壁よりも高く形成するので、高さの高い第１の側壁側を背面側とし、高さの低い第３の側壁側を正面側として、箱本体の前後の向きを特定しながら収納物を収納し、蓋体を外した状態では、上部を箱本体から露出させて、収納物の外装や表示を外部から視認できる。また、箱本体の第１の側壁を高くすることで、第１の側壁側に収納される収納物を安定して支持しながら保持できる。
【００１２】
本発明の収納箱は、周壁２２の下端を、係合部４が形成されない領域において、箱本体１の下端まで延長し、係合部４を被係合部５に係合させて蓋体２を箱本体１の定位置に連結する状態で、蓋体２の下端縁を箱本体１の底面１Ｂと同一平面上に配置することができる。
【００１３】
上記構成により、箱本体に蓋体を被せて、側壁と周壁とを位置決連結部で所定の位置に連結する状態で、蓋体の下端縁が箱本体の底面と同一平面上に配置されるので、収納箱が設置される設置面に周壁の下端を接触させて、蓋体にかかる荷重を支持することができ、収納箱の耐荷重を大きくできる。
【００１４】
本発明の収納箱は、箱本体１が底プレート１１を長方形として、底プレート１１の４辺に第１〜第４の側壁１２Ａ、１２Ｂ、１２Ｃ、１２Ｄを連結して備え、互いに対向する第１の側壁１２Ａ及び第３の側壁１２Ｃは、第１の側壁の高さ（ｈ１）を第３の側壁１２Ｃの高さ（ｈ３）よりも高く形成すると共に、箱本体１と蓋体２は、第１の側壁１２Ａの高さ（ｈ１）を、周壁２２の高さ（Ｈ）と等しく、あるいは周壁の高さ（Ｈ）より高く形成して、第１の側壁１２Ａの上端を蓋体２の天プレート１２に当接させて、第１の側壁１２Ａで蓋体２を支持することができる。
【００１５】
上記構成により、箱本体に蓋体を被せた状態では、第１の側壁の上端を蓋体の天プレートに当接させて蓋体を支持できるので、蓋体にかかる荷重を第１の側壁で支持することができ、収納箱の耐荷重を大きくできる。また、箱本体の底プレートの４辺に設けた第１〜第４の側壁のうち、第１の側壁を第３の側壁よりも高く形成するので、高さの高い第１の側壁側を背面側とし、高さの低い第３の側壁側を正面側として、箱本体の前後の向きを特定しながら収納物を収納し、蓋体を外した状態では、上面や前面側を箱本体から露出させて、収納物の外装や表示を外部から視認できる。また、箱本体の第１の側壁を収納物よりも高くすることで、第１の側壁側に収納される収納物をより安定して支持しながら定位置に保持できる。
【００１６】
本発明の収納箱は、箱本体１の底プレート１１及び蓋体２の天プレート２１を長方形として、長方形の対向する辺に配設された側壁１２と周壁２２に位置決連結部３を設けることができる。
上記構成によると、平面視を長方形とする箱本体と蓋体の対向する辺に配設された側壁と周壁に位置決連結部を設けているので、収納箱の両側において、蓋体の周壁を側壁で安定して支持できる。
【００１７】
本発明の収納箱は、箱本体１と蓋体２が、長方形の長辺側に設けた側壁１２と周壁２２に位置決連結部３を備えることができる。
【００１８】
本発明の収納箱は、箱本体１と蓋体２が、長方形の４辺に設けた側壁１２と周壁２２に位置決連結部３を備えることができる。
【００１９】
本発明の収納箱は、蓋体２を上下反転させて、挿入片４１を上向きの姿勢として箱本体１の下方に配置し、さらに、箱本体１を上方開口の姿勢で蓋体２の周壁２２の開口部の内側に配置する状態で、挿入片４１を挿入部５１に挿入して、位置決め部４２を挿入部５１の開口縁５２に当接又は接近させて、周壁２２で側壁１２を位置決めしながら支持して、箱本体１を上方開口の姿勢で蓋体２の開口部の所定の位置に配置することができる。
【００２０】
上記構成により、箱本体の下側に、上下反転姿勢で配置される蓋体の開口部に、位置決連結部を介して箱本体を連結するので、上方開口の姿勢で配置される箱本体を、収納箱の設置面から底上げする状態で配置して、箱本体に収納される収納物を外観良く展示できる。とくに、この収納箱は、蓋体の周壁に設けた挿入片を、箱本体の側壁に開口した挿入部に挿入して、挿入部の開口縁に位置決め部を当接又は接近させて周壁で側壁を位置決めしながら支持するので、箱本体を蓋体の開口部の所定の位置に上方開口の姿勢で配置して、安定した姿勢で収納物を展示できる。
【００２１】
本発明の収納箱は、箱本体１と蓋体２が、第３の側壁１２Ｃと、この第３の側壁１２Ｃと対向する周壁２２にのみ位置決連結部３を設けることができる。
【００２２】
上記構成により、箱本体に蓋体を被せた状態において、第１の側壁側では、第１の側壁の上端を蓋体の天プレートに当接させて蓋体を支持し、第３の側壁側では、位置決連結部によって第３の側壁で周壁を支持する。このため、対向する第１の側壁と第３の側壁によって、蓋体にかかる荷重を安定して支持でき、収納箱の変形や収納物の破損等を確実に防止できる。とくに、この収納箱は、複数の位置決め連結部を設けることなく、箱本体の第３の側壁側に１つの位置決連結部を設ける簡単な構造としながら、蓋体を安定して支持できる。
【００２３】
本発明の収納箱は、蓋体２が、長方形の天プレート２１の長辺側に連結された第１の周壁２２Ａ及び第３の周壁２２Ｃに折曲ライン２７を備えて、折曲ライン２７は、長方形の天プレート２１の短辺側に連結された第２の周壁２２Ｂ及び第４の周壁２２Ｄを天プレート２１に積層する方向に、第１の周壁２２Ａ及び第３の周壁２２Ｃを折曲可能として、折曲ライン２７で第１の周壁２２Ａ及び第３の周壁２２Ｃを折曲して、第２の周壁２２Ｂ及び第４の周壁２２Ｄを天プレート２１に積層させて、蓋体２をコンパクトに折り畳みすることができる。
【００２４】
上記構成により、蓋体の周壁を折曲ラインで折曲することで、蓋体をコンパクトに折り畳んで出荷することができる。この収納箱は、コンパクトに折り畳んで体積を小さくすることで、省スペースに収納しながら、効率よく梱包して出荷できる。また、収納箱の使用後においては、蓋体をコンパクトに折り畳んで廃棄処分できる。
【００２５】
本発明の収納箱は、被係合部５が、側壁１２に形成されて挿入部５１を拡開する押し込み片５３を備えることができる。
【００２６】
上記構成により、挿入片を挿入部に挿入する際には、押し込み片で挿入部を拡開させて挿入片をスムーズに挿入部に挿入できる。また、挿入部に挿入片を挿入した状態では、挿入された挿入片の内面に押し込み片を接触させることで、摩擦により挿入片を挿入部から抜け難くして、係合部と被係合部とを係合状態に保持できる。
【００２７】
本発明の収納箱は、箱本体１の側壁１２を、底プレート１１の外周縁に連設された外側壁１３と、外側壁１３の内側に連設された内側壁１４とを備える二重壁構造とし、外側壁１３に被係合部５を形成して、外側壁１３と内側壁１４の間に挿入片４１を挿入することができる。
【００２８】
上記構成により、箱本体の側壁を外側壁と内側壁との二重壁構造とすることで箱本体の強度を高めることができる。とくに、側壁の高さ（ｈ）を低く構成しながら優れた強度を実現できる。さらに、二重壁構造の側壁において、外側壁に被係合部を形成して、外側壁と内側壁の間に挿入片を挿入して連結するので、箱本体に収納される収納物に影響を受けることなく、常に挿入片を側壁の所定の位置に連結できる。また、側壁に挿入される挿入片が収納物に接触するのを防止して、挿入片との接触による収納物の変形や破損を確実に防止できる。
【００２９】
本発明の収納箱は、箱本体１が、底プレート１１と側壁１２とを連結するコーナー部に面取り部６を備えて、蓋体２が、面取り部６と対向する周壁２２の下端部に、面取り部６を露出させる切欠部２８を備えることができる。
【００３０】
上記構成によると、収納箱を持ち運ぶときに、収納箱が設置されている接地面と面取り部との間に指を差し込んで収納箱を容易に持ち上げることができる。また、蓋体の周壁に切欠部を設けることで、箱本体に被せた蓋体を外すときには、切欠部に指を差し込んで、容易に蓋体を外すことができる。
【図面の簡単な説明】
【００３１】
【図１】本発明の一実施の形態に係る収納箱の斜視図である。
【図２】図１に示す収納箱の分解斜視図である。
【図３】図１に示す収納箱のＩＩＩ−ＩＩＩ線一部拡大断面図である。
【図４】図１に示す収納箱のＩＶ−ＩＶ線一部拡大断面図である。
【図５】図２に示す箱本体を製造する台紙シートの展開図である。
【図６】図２に示す蓋体を製造する台紙シートの展開図である。
【図７】箱本体を製造する台紙シートの他の一例を示す展開図である。
【図８】蓋体を製造する台紙シートの他の一例を示す展開図である。
【図９】図５に示す台紙シートを箱本体に組み立てる一工程を示す斜視図である。
【図１０】図７に示す台紙シートを箱本体に組み立てる一工程を示す斜視図である。
【図１１】図７と図８に示す台紙シートから組み立てられた箱本体と蓋体を示す斜視図である。
【図１２】蓋体を折曲ラインで折曲してコンパクトに折り畳む一例を示す工程図である。
【図１３】蓋体を折曲ラインで折曲してコンパクトに折り畳む他の一例を示す工程図である。
【図１４】収納物が収納された箱本体の展示状態の一例を示す斜視図である。
【図１５】収納物が収納された箱本体の展示状態の他の一例を示す斜視図である。
【図１６】本発明の他の実施例にかかる収納箱の分解斜視図である。
【図１７】本発明の他の実施例にかかる収納箱の分解斜視図である。
【図１８】図１７に示す収納箱の箱本体と蓋体の連結構造を示す一部拡大垂直横断面図である。
【図１９】図１７に示す箱本体を製造する台紙シートの展開図である。
【図２０】本発明の他の実施例にかかる収納箱の分解斜視図である。
【図２１】図２０に示す収納箱における収納物が収納された箱本体の展示状態の一例を示す斜視図である。
【発明を実施するための形態】
【００３２】
以下、本発明の実施の形態を図面に基づいて説明する。ただし、以下に示す実施の形態は、本発明の技術思想を具体化するための収納箱を例示するものであって、本発明は収納箱を以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００３３】
図１は本発明の一実施の形態にかかる収納箱の斜視図を、図２は図１に示す収納箱の分解斜視図を、図３と図４は図１に示す収納箱のＩＩＩ−ＩＩＩ線断面図及びＩＶ−ＩＶ線断面図を、図５は箱本体の展開図を、図６は蓋体の展開図をそれぞれ示している。図１ないし図４に示す収納箱１００は、上方開口の箱形に形成された箱本体１と、この箱本体１の上に被せられて、箱本体１の上方開口部１Ａを閉塞する蓋体２とを備えている。箱本体１と蓋体２は紙製で、図５及び図６に示すように、原紙を所定の形状に裁断してなる台紙シート６１、６２を折曲ライン１９、２９で折曲すると共に、係止箇所が係止され、あるいは接着箇所が糊付けされて所定の箱形に製函される。
【００３４】
（箱本体１）
箱本体１は、底プレート１１と、この底プレート１１の外周縁に連設された側壁１２とを備えている。図に示す箱本体１は、底プレート１１を長方形とすると共に、長方形の底プレート１１の４辺に、底プレート１１の四方を囲む側壁１２を連結して設けている。底プレート１１の四方を囲む側壁１２は、長方形の長辺側に連結される第１の側壁１２Ａ及び第３の側壁１２Ｃと、長方形の短辺側に連結される第２の側壁１２Ｂ及び第４の側壁１２Ｄとからなり、これ等を長方形の枠形状に連結している。箱本体１は、底プレート１１の四方に連結される側壁１２を底プレート１１に対して略垂直姿勢で立設して設けている。
【００３５】
箱本体１の側壁１２は、箱本体１の外周面となる外側壁１３と、この外側壁１３の内側に設けられた内側壁１４とを備える二重壁構造としている。図２〜図４に示す側壁１２は、底プレート１１の外周縁に連設された外側壁１３と、この外側壁１３の先端縁に連設された内側壁１４を備えており、外側壁１３を底プレート１１との境界で折曲して、底プレート１１に対して略垂直姿勢で立設すると共に、内側壁１４を外側壁１３の内側に折り返して二重壁構造としている。この構造の箱本体１は、二重壁構造の側壁１２により、箱本体１の強度を高めることができる。さらに、外側壁１３の内側に折り返された内側壁１４のクッション性により、内側に収納される収納物９を衝撃等から保護できる特徴がある。
【００３６】
さらに、図２〜図４に示す側壁１２は、外側壁１３と内側壁１４の間に、幅の狭い幅狭連結部１５を設けている。箱本体１の４辺において側壁１２の上端面に配置される幅狭連結部１５は、箱本体１の上方開口部１Ａに沿って長方形状の枠縁部を形成している。この構造は、側壁１２に厚みを設けることで、箱本体１の強度をさらに高めながら、側壁１２の内側に収納物９が収納される箱本体１の外観をスッキリとした美しいデザインにできる。
【００３７】
箱本体１は、底プレート１１の周囲に立設して形成される側壁１２の内側を収納スペース１０として、収納物９を収納できるようにしている。ここで、図３と図４に示す箱本体１は、側壁１２の高さ（ｈ）を、収納スペース１０に収納される収納物９の上端までの高さ（Ｔ）よりも低く設計している。この箱本体１は、側壁１２の高さ（ｈ）よりも背の高い収納物９を収納する状態では、収納物９の上部を上方開口部１Ａから突出させて、収納物９の外装を外部に露出できる。したがって、蓋体２を外した状態で、収納物９に表示された商品名やロゴ等を外部から視認でき、展示効果を高くできる。
【００３８】
（蓋体２）
蓋体２は、天プレート２１と、この天プレート２１の外周縁に連設された周壁２２とを備えている。図に示す蓋体２は、箱本体１の上方開口部１Ａを閉塞できるように、天プレート２１を箱本体１の外形に沿う長方形とすると共に、長方形の天プレート２１の４辺に、天プレート２１の四方を囲む周壁２２を連結して設けている。天プレート２１の四方を囲む周壁２２は、長方形の長辺側に連結される第１の周壁２２Ａ及び第３の周壁２２Ｃと、長方形の短辺側に連結される第２の周壁２２Ｂ及び第４の周壁２２Ｄとからなり、これ等を長方形の枠形状に連結している。この蓋体２も、天プレート２１の周囲に連結される周壁２２を天プレート２１に対して略垂直姿勢で立設して設けている。蓋体２は、箱本体１に被せられて、箱本体１の上方開口部１Ａを閉塞する状態で、天プレート２１の周囲に設けた周壁２２が、箱本体１の側壁１２の周囲に沿って配置される構造としている。
【００３９】
周壁２２は、図１、図３、及び図４に示すように、その下端が、箱本体１の下端まで延長されており、蓋体２を箱本体１の所定の位置に連結する状態で、蓋体２の下端縁が箱本体１の底面１Ｂと同一平面上配置されるようにしている。図に示す蓋体２は、天プレート２１の四方を囲む４枚の周壁２２において、それぞれ両側部の下端を箱本体１の下端まで延長しており、長方形の枠形状に連結された周壁２２の四隅のコーナー部が、箱本体１の底面１Ｂと同一平面上配置されるようにしている。この構造は、収納箱１００が設置される設置面７０に周壁２２の下端を当接させて、蓋体２にかかる荷重を周壁２２で支持することができる。このため、収納箱１００の耐荷重を大きくできる。
【００４０】
蓋体２は、天プレート２１の周囲に立設して形成される周壁２２の内側を収納スペース２０として、この収納スペース２０内に収納物９が収納された箱本体１を案内して、箱本体１をカバーできるようにしている。ここで、図３と図４に示す蓋体２は、周壁２２の高さ（Ｈ）を、収納スペース２０に収納される収納物９の上端までの高さ（Ｔ）よりも高く設計している。言い換えると、この蓋体２は、箱本体１に収納された状態で側壁１２から突出する高さ（Ｔ）となる収納物９を、蓋体２の内面に接触させることなく収納できるようにしている。この蓋体２は、図３と図４に示すように、箱本体１をカバーする状態では、収納物９の上面と蓋体２の天プレート２１の下面との間に隙間を設けることができる。これにより、収納物９の上面が蓋体２の荷重で押圧されるのを防止して、収納物９が変形したり、破損するのを防止している。
【００４１】
以上の収納箱１００は、箱本体１の側壁１２の高さ（ｈ）を蓋体２の周壁２２の高さ（Ｈ）より低くしている。この収納箱１００は、箱本体１の側壁１２を低くすることで、使用する原紙の量を削減して製造コストを低減できる特徴が実現できる。ただ、箱本体１の高さ（ｈ）を蓋体２の高さ（Ｈ）より低くする収納箱は、箱本体１が蓋体２の内部深くまで入り込まないように、蓋体２を箱本体１の定位置で連結する必要がある。それは、収納物９を収納した箱本体１が蓋体２の内部深くまで入り込むと、収納物９の上面が天プレート２１の下面に接触し、外部から蓋体２に荷重が作用する状態では、収納物９が蓋体２の天プレート２１に押圧されて変形したり、破損する虞があるからである。図に示す収納箱１００は、蓋体２を箱本体１の定位置に連結させるために、側壁１２と周壁２２に位置決連結部３を設けており、この位置決連結部３を介して蓋体２と箱本体１とを定位置で連結している。
【００４２】
（位置決連結部３）
位置決連結部３は、周壁２２に設けられた係合部４と、この係合部４に対向して側壁１２に設けられた被係合部５とを備えている。位置決連結部３は、箱本体１に蓋体２を被せる状態で、周壁２２に形成された係合部４を、側壁１２に形成された被係合部５に係合させて、側壁１２と周壁２２とを定位置で連結して蓋体２を箱本体１の側壁１２で支持する。図１〜図４の収納箱１００は、外形を長方形とする底プレート１１及び天プレート２１の対向する辺に配設された側壁１２と周壁２２に位置決連結部３を設けている。このように、収納箱１００の対向する側面に位置決連結部３を設ける構造は、収納箱１００の両側面において、蓋体２の周壁２２を側壁１２で位置決めしながら支持できるので、蓋体２を安定して支持できる。
【００４３】
図２〜図４に示す箱本体１と蓋体２は、長方形の長辺側に設けた側壁１２と周壁２２に位置決連結部３を設けている。すなわち、この収納箱１００は、蓋体２の対向する周壁２２であって、長方形の天プレート２１の長辺側に連結された第１の周壁２２Ａと第３の周壁２２Ｃに係合部４を設けて、箱本体１の対向する側壁１２であって、第１の周壁２２Ａと対向する第１の側壁１２Ａと、第３の周壁２２Ｃと対向する第３の側壁１２Ｃに被係合部５を設けている。係合部４は、周壁２２に形成されて下方に突出する挿入片４１と、挿入片４１の両側に形成されて、挿入片４１の挿入位置を特定する位置決め部４２とを備えており、被係合部５は、側壁１２の外周面に開口されて、挿入片４１が挿入される挿入部５１を備えている。
【００４４】
（挿入片４１）
挿入片４１は、周壁２２の中央部であって、周壁２２の下端部に形成されている。係合部４を備える周壁２２は、図２と図６に示すように、挿入片４１の両側に凹部４３を形成しており、両側の凹部４３によって挿入片４１を周壁２２から下方に突出する形状に形成している。周壁２２は、挿入部５１の両側に形成される凹部４３よりも外側の領域であって、係合部４が形成されない領域において、その下端を箱本体１の下端まで延長しており、蓋体２を箱本体１の定位置に連結する状態では、蓋体２の下端縁が箱本体１の底面１Ｂと同一平面上に位置するようにしている。したがって、周壁２２は、挿入片４１の下端が、両端部の下端よりも後退する位置となるように、言い換えると、挿入片４１の下端が、箱本体１の底面１Ｂよりも高い位置となるようにその突出量（ｔ）を調整している。さらに、図の挿入片４１は、凹部４３の底縁から先端に向かって次第に幅が狭くなる等脚台形状としており、さらに、先端の両隅を面取りして、被係合部５の挿入部５１に挿入しやすくしている。
【００４５】
（位置決め部４２）
挿入片４１の両側に形成される凹部４３は、その底縁を位置決め部４２として、側壁１２に開口される挿入部５１に挿入される挿入片４１の挿入位置を特定している。挿入片４１の両側に形成される位置決め部４２は、挿入片４１を挿入部５１に深く挿入する状態で、挿入部５１の開口縁５２に当接されて挿入片４１の挿入位置が特定される。言い換えると、周壁２２の位置決め部４２が、挿入部５１の開口縁５２に当接する位置まで、挿入片４１が挿入されることで、側壁１２が周壁２２を位置決めしながら支持する。この状態では、側壁１２と周壁２２とが、挿入片４１の両側の位置決め部４２において係合されるので、周壁２２を安定して支持できる。ただ、位置決連結部は、必ずしも周壁の位置決め部を挿入部の開口縁に当接させるまで挿入片を挿入して連結する必要はない。それは、挿入部に挿入される挿入片と側壁との摩擦等により、挿入部に対して挿入片の移動を抑制する状態で連結することもできるからである。したがって、位置決連結部３は、挿入片４１が挿入部５１に挿入される状態で、位置決め部４２を挿入部５１の開口縁５２に当接又は接近させることにより、側壁１２で周壁２２を位置決めしながら支持する。
【００４６】
図２と図６に示す凹部４３は、底縁を周壁２２の下端縁と平行な直線状とする略台形状に形成されており、挿入片４１の両側に形成される直線状の底縁を位置決め部４２として挿入部５１の開口縁５２に当接又は接近させて挿入片４１の挿入位置を特定している。この構造は、係合部４が設けられる周壁２２の中央部に、下方を大きく開口した切欠部２８を形成できる特徴がある。この切欠部２８により、スッキリとした美しい外観としながら、切欠部２８に対してスムーズに指先を挿入して、蓋体２を容易に着脱できる。ただ、凹部は、必ずしも台形状に形成して位置決め部を直線状の底縁とする必要はない。図示しないが、係合部は、挿入片の両側に形成される凹部を略三角形状として、鋭角なＶ字状の凹部を形成することもできる。この凹部は、Ｖ字状の底縁を位置決め部とし、この位置決め部を挿入部の開口縁に当接又は接近させて、挿入部の挿入位置を特定することができる。さらに、図示しないが、係合部は、凹部に代わってスリット状の切り込みを設けて、この切り込みの底縁を位置決め部として、挿入部の開口縁に当接又は接近させて挿入部の挿入位置を特定することもできる。このように、挿入片の両側に形成される位置決め部をＶ字状の底縁やスリット状の切り込みの底縁とする構造は、これ等の位置決め部を挿入部の両端部に確実に係合させて、周壁と側壁との係合状態を強化できる。
【００４７】
（挿入部５１）
挿入部５１は、図２と図５に示すように、蓋体２の周壁２２に形成された挿入片４１を挿入できるように、側壁１２の外側壁１３に開口される切り込みであって、立設された側壁１２に対して水平方向に延長して開口されている。水平方向に形成される切り込みを備える挿入部５１は、周壁２２の下端部に形成される挿入片４１を案内できるように、その全長（Ｓ）が調整される。とくに、水平方向に延びる切り込みとして開口される挿入部５１は、その全長（Ｓ）を長くすることで、横幅（Ｗ）のある挿入片４１をスムーズに挿入できる。
【００４８】
図２と図５に示す挿入部５１は、上下方向に開口幅（Ｄ）のあるスリット状として、切り込みの開口面積を広くしている。この構造の挿入部５１は、開口幅（Ｄ）のあるスリット状とすることで、挿入部５１に対して挿入片４１を簡単かつ容易に挿入できる特徴がある。ただ、挿入部は、必ずしも開口幅のあるスリット状に開口する必要はない。挿入部は、開口幅のない直線状の切り込みのみで構成することもできる。この挿入部は、挿入片の横幅よりも左右に広く、すなわち、挿入片の横幅（Ｗ）よりも大きな全長（Ｓ）を有する切り込みを設けることにより、この切り込みを前後方向に開いて挿入片を挿入できる。
【００４９】
（押し込み片５３）
さらに、図２と図５に示す被係合部５は、スリット状の挿入部５１の両端から垂直に立ち上がる切り込み５４を設けて、コの字状の押し込み片５３を設けている。挿入部５１の両端に設けた切り込み５４の上端の間、すなわち、押し込み片５３の上端縁には折曲部５５を設けており、この折曲部５５を折曲して押し込み片５３を側壁１２の内側や外側に折曲できるようにしている。このように、挿入部５１に沿って拡開自在な押し込み片５３を備える被係合部５は、挿入片４１を挿入する際に、押し込み片５３を側壁１２の内側に押し込むことで挿入部５１を拡開して挿入片４１を容易に挿入できる特徴がある。さらに、側壁１２の内側に押し込まれた押し込み片５３は、元の位置に復帰しようとする際に、挿入部５１に挿入された挿入片４１との間に摩擦力を生じさせて、挿入片４１が挿入部５１から抜けるのを抑制する働きがある。したがって、係合部４と被係合部５との係合状態を安定して保持できる特徴がある。なお、押し込み片５３を備える被係合部５についても、挿入部５１を、必ずしも開口幅（Ｄ）のあるスリット状に開口する必要はない。それは、被係合部５に形成される押し込み片５３を押圧することで、挿入部５１を拡開して挿入片４１を挿入しやすくできるからである。
【００５０】
以上の位置決連結部３は、挿入片４１を挿入部５１に挿入すると共に、挿入片４１の両側に形成された位置決め部４２を挿入部５１の開口縁５２に当接又は接近させることで、側壁１２で周壁２２を位置決めしながら支持する。したがって、側壁１２に開口する挿入部５１の位置と、周壁２２に設ける位置決め部４２の位置は、係合部４と被係合部５とが係合する状態で、収納物９の上端が蓋体２の天プレート２１の下面に接触しないように調整される。図２と図３に示す箱本体１と蓋体２は、箱本体１の底面１Ｂから側壁１２に開口された挿入部５１の開口縁５２までの高さ（ｄ１）を、周壁２２の下端縁から位置決め部４２までの深さ（ｄ２）と等しくしている。この収納箱１００は、周壁２２の位置決め部４２を、側壁１２の挿入部５１の開口縁５２に当接させて支持する状態で、周壁２２の下端を箱本体１の底面１Ｂと同一平面状に配置して、周壁２２にかかる荷重を設置面７０で支持できる。なお、この収納箱１００は、箱本体１の底面１Ｂから挿入部５１の開口縁５２までの高さ（ｄ１）を側壁の高さ（ｈ）の約１／２とし、挿入片４１が位置決め部４２からの突出する突出量（ｔ）を開口縁５２までの高さ（ｄ１）よりも小さくしている。
【００５１】
（面取り部６）
さらに、箱本体１は、図１、図２、及び図４に示すように、底プレート１１と側壁１２とを連結するコーナー部に面取り部６を設けている。この面取り部６は、側壁１２の外側壁１３と底プレート１１との境界部に形成された傾斜面で、境界部である稜線の中央部を内側にプレスすることにより形成されている。図に示す箱本体１は、対向する側壁１２であって、位置決連結部３が設けられない側壁１２と底プレート１１との境界部分に面取り部６を形成している。すなわち、図の箱本体１は、長方形の底プレート１１の短辺側に連結された第２の側壁１２Ｂ及び第４の周壁２２Ｄと底プレート１１との境界部分に面取り部６を設けている。ただ、箱本体は、位置決連結部が設けられる側壁に対して面取り部を設けることもできる。箱本体は、例えば、長方形の底プレートの長辺側であって、位置決連結部が設けられる第１の側壁及び第３の側壁と底プレートとの境界部分に面取り部を設けることができる。また、箱本体は、長方形の底プレートの短辺側に位置決連結部が設けて、第２の側壁及び第４の側壁と底プレートとの境界部分に面取り部を設けることもできる。このように箱本体１に面取り部６を設けた収納箱１００は、設置面７０と面取り部６との間に指を差し込んで収納箱１００を容易に持ち上げることができる。
【００５２】
（切欠部２８）
さらに、図１、図２、及び図４に示す蓋体２は、箱本体１に設けた面取り部６と対向する周壁２２の下端部に、面取り部６を露出させる切欠部２８を設けている。図１と図２に示す箱本体１は、側壁１２と底プレート１１の境界部分の中央部分に面取り部６を設けているので、周壁２２は、下端部の中央部分に切欠部２８を設けている。図の切欠部２８は、周壁２２の下端縁から上方に向かって開口幅が次第に狭くなる等脚台形状に形成されている。この形状の切欠部２８は、周壁２２の下端縁との境界部分をカットすることで、スッキリとした美しい外観としながら、切欠部２８に対してスムーズに指先を挿入して面取り部６に指を挿入できる。また、周壁２２の下端部に切欠部２８を備える収納箱１００は、箱本体１に被せた蓋体２を外すときには、切欠部２８に指を差し込んで、容易に蓋体２を外すことができる。
【００５３】
さらに、位置決連結部３を設けた周壁２２においては、下端の中央部には挿入片４１が下方に突出して形成されるが、箱本体１と蓋体２との連結状態では、図１に示すように、この挿入片４１は側壁１２の挿入部５１に挿入される。このため、位置決連結部３の係合状態においては、実質的に（外観上）は、周壁２２に切欠部２８が形成された状態となる。したがって、位置決連結部３を設けた周壁２２においても、この切欠部２８に指を差し込んで、容易に蓋体２を外すことができる。また、位置決連結部を備える側壁に面取り部を形成する構造においても、この切欠部を通して、設置面７０と面取り部との間に指を差し込んで収納箱を容易に持ち上げることができる。
【００５４】
（台紙シート６１、６２）
以上の箱本体１と蓋体２は、図５〜図８に示すように、原紙を所定のパターンに裁断して台紙シート６１、６２とすると共に、裁断された台紙シート６１、６２を折曲ライン１９、２９で折曲し、さらに、係止箇所が係止され、あるいは接着箇所が糊付けされて所定の形状に製函される。ここで、図７は他の一例にかかる箱本体を製造する台紙シート６１Ｂの展開図を、図８は他の一例にかかる蓋体を製造する台紙シート６２Ｂの展開図をそれぞれ示している。さらに、図９は図５に示す台紙シート６１Ａを製函する一工程を示す斜視図を、図１０は図７に示す台紙シート６１Ｂを製函する一工程を示す斜視図を、図１１は図７に示す台紙シート６１Ｂと図８に示す台紙シート６２Ｂで製函された箱本体１及び蓋体２の斜視図をそれぞれ示している。
【００５５】
（箱本体１の台紙シート６１）
図５と図７は、箱本体１の展開図であって、原紙を所定のパターンに裁断した台紙シート６１を示している。ここで、図５は、製函機を使用することなく、人手で箱本体１に製函される台紙シート６１Ａを、図７は、製函機によって箱本体１に製函される台紙シート６１Ｂをそれぞれ示している。
【００５６】
図５と図７に示す台紙シート６１は、外形を長方形とする底プレート１１と、底プレート１１の４辺に連結されて４つの側壁１２を形成するシート片を備えている。底プレート１１の４辺に連結される各シート片は、底プレート１１の外周縁に連設された外側壁１３と、この外側壁１３の先端側に連結された内側壁１４と、外側壁１３と内側壁１４の間に形成された幅の狭い幅狭連結部１５とを備えている。底プレート１１、外側壁１３、幅狭連結部１５、及び内側壁１４は、各々の境界縁を折曲ライン１９として互いに連結している。
【００５７】
さらに、互いに隣り合う側壁１２同士を所定の姿勢で連結するために、対向する側壁１２の両側縁には連結片１６を連設して設けている。この連結片１６は、外側壁１３の側縁と内側壁１４の側縁にそれぞれ連設して設けられている。図５に示す台紙シート６１Ａは、第１の側壁１２Ａ及び第３の側壁１２Ｃを形成する外側壁１３の両側縁に連結片１６Ａを、内側壁１４の両側縁に連結片１６Ｂをそれぞれ連設して設けている。図７に示す台紙シート６１Ｂは、第２の側壁１２Ａ及び第４の側壁１２Ｃの外側壁１３の両側縁に連結片１６Ａを、第１の側壁１２Ａ及び第３の側壁１２Ｃの内側壁１４の両側縁に連結片１６Ｂをそれぞれ連設して設けている。図５と図７に示す第１の側壁１２Ａ及び第３の側壁１２Ｃは、内側壁１４と連結片１６Ｂとの境界部に切り欠き１７が設けられており、第２の側壁１２Ｂ及び第４の側壁１２Ｄの内側壁１４が内側に折り返される状態では、折り返される内側壁１４の両側縁に設けた係止部１４Ｂを係止して、係止構造で箱形に保形されるようにしている。
【００５８】
さらに、図５と図７に示す内側壁１４は、先端縁に、指を係合可能な半円状の切り欠き１４Ａが設けられている。この箱本体１は、廃棄時において、切り欠き１４Ａに指を挿入する状態で内側壁１４を外側に引っ張って両端の係止部１４Ｂの係止状態を解除して簡単に展開できる。この箱本体１は、四方の周壁１２を外側に展開してシート状とした状態で廃棄される。
【００５９】
図５に示す台紙シート６１Ａは、以下のようにして人手により製函される。
（１）第１の側壁１２Ａ及び第３の側壁１２Ｃの外側壁１３を底プレート１１との境界の折曲ライン１９で折曲して、底プレート１１に対して略垂直姿勢で立設すると共に、幅狭連結部１５の両側の折曲ライン１９を略直角に折曲して、内側壁１４を外側壁１３の内側に折り返す（図３参照）。
（２）さらに、図９に示すように、第１の側壁１２Ａ及び第３の側壁１２Ｃの内側壁１４の両側縁に連設された連結片１６Ｂと外側壁１３の両側縁に連設された連結片１６Ａとを両側の折曲ライン１９で内側に折曲する。
（３）第２の側壁１２Ｂ及び第４の側壁１２Ｄの外側壁１３を底プレート１１との境界の折曲ライン１９で折曲して、底プレート１１に対して略垂直姿勢で立設すると共に、幅狭連結部１５の両側の折曲ライン１９を略直角に折曲して、内側壁１４を外側壁１３の内側に折り返す。このとき、外側壁１３と内側壁１４の間に、連結片１６Ａ、１６Ｂを挟み込む（図４参照）。
（４）折り返された内側壁１４の両側縁に設けた係止部１４Ｂを、隣接する内側壁１４の両側縁に形成された切り欠き１７に案内して係止する（図２参照）。
【００６０】
図７に示す台紙シート６１Ｂは、以下のようにして製函機（図示せず）により製函される。
（１）底プレート１１の四方に設けられた側壁１２の外側壁１３を底プレート１１との境界の折曲ライン１９で折曲して、底プレート１１に対して略垂直姿勢で立設する。このとき、第２の側壁１２Ｂ及び第４の側壁１２Ｄの外側壁１３の両側縁に設けた連結部１６Ａを折曲ライン１９で内側に折曲して、第１の側壁１２Ａ及び第３の側壁１２Ｃの外側壁１３の内側に配置する（図１０参照）。
（２）第１の側壁１２Ａ及び第３の側壁１２Ｃの幅狭連結部１５の両側の折曲ライン１９を略直角に折曲して、内側壁１４を外側壁１３の内側に折り返して、外側壁１３と内側壁１４の間に連結片１６Ａを挟み込む。このとき、第１の側壁１２Ａ及び第３の側壁１２Ｃの内側壁１４の両側縁に連設された連結片１６Ｂを両側の折曲ライン１９で内側に折曲して、第２の側壁１２Ｂ及び第４の側壁１２Ｄの外側壁１３の内側に配置する。（図１０参照）
（３）第２の側壁１２Ｂ及び第４の側壁１２Ｄの幅狭連結部１５の両側の折曲ライン１９を略直角に折曲して、内側壁１４を外側壁１３の内側に折り返して、外側壁１３と内側壁１４の間に連結片１６Ｂを挟み込む。（図１１参照）
（４）折り返された内側壁１４の両側縁に設けた係止部１４Ｂを、隣接する内側壁１４の両側縁に形成された切り欠き１７に案内して係止する。（図１１参照）
【００６１】
以上のように、台紙シート６１は、外側壁１３を底プレート１１に対して略垂直姿勢で立設し、内側壁１４を外側壁１３の内側に折り返して二重壁構造の側壁１２を形成すると共に、隣接する側壁１２同士を、連結片１６を介して連結し、さらに、折り返された内側壁１４同士を互いに係止箇所において係止構造で連結して、所定の箱形の箱本体１に製函される。
【００６２】
（蓋体２の台紙シート６２）
図６と図８は、蓋体２の展開図であって、原紙を所定のパターンに裁断した台紙シート６２を示している。ここで、図６は、製函機を使用することなく、人手で蓋体２に製函される台紙シート６２Ａを、図８は、製函機によって蓋体２に製函される台紙シート６２Ｂをそれぞれ示している。
【００６３】
図６と図８に示す台紙シート６２は、外形を長方形とする天プレート２１と、天プレート２１の４辺に連結された４枚の周壁２２を備えている。さらに、互いに隣り合う周壁２２同士を所定の姿勢で連結するために、隣接する周壁２２に連結される連結片２３を対向する周壁２２の両側縁に連設して設けている。図６に示す台紙シート６２Ａは、第２の周壁２２Ｂ及び第４の周壁２２Ｄの両側縁に連結片２３を連設して設けている。図８に示す台紙シート６２Ｂは、第１の周壁２２Ａ及び第３の周壁２２Ｃの両側縁に連結片２３を連設して設けている。
【００６４】
以上の台紙シート６２は、各々の周壁２２を天プレート１１との境界の折曲ライン２９で折曲して、天プレート２１に対して略垂直姿勢で立設すると共に、連結片２３を隣接する周壁２２の両側縁部に糊付けして、４枚の周壁２２を接着箇所で連結して所定の箱形に製函される。
【００６５】
（蓋体２の折曲ライン２７）
さらに、蓋体２は、図６と図８に示すように、長方形の天プレート２１の長辺側に連結された第１の周壁２２Ａ及び第３の周壁２２Ｃに折曲ライン２７を設けている。図に示す折曲ライン２７は、長方形の天プレート２１の短辺側に連結された第２の周壁２２Ｂ及び第４の周壁２２Ｄを天プレート２１に積層する方向に、第１の周壁２２Ａ及び第３の周壁２２Ｃを折曲可能な位置に設けられている。図に示す第１の周壁２２Ａ及び第３の周壁２２Ｃは、天プレート２１のコーナー部に位置する角隅から、周壁２２の先端縁の中央部に向かって傾斜された折曲ライン２７を設けている。この折曲ライン２７は、天プレート２１の長辺側の外周縁と周壁２２との境界縁となす角（α）が約４５度となるようにしている。このように、折曲ライン２７を４５度の傾斜角とする第１の周壁２２Ａ及び第３の周壁２２Ｃは、この折曲ライン２７に沿って折曲される第１の周壁２２Ａ及び第３の周壁２２Ｃを隙間なく最もコンパクトに折り畳みできる。
【００６６】
図１２に示す蓋体２は、第１の周壁２２Ａ及び第３の周壁２２Ｃを折曲ライン２７で折曲して、第１の周壁２２Ａ及び第３の周壁２２Ｃを天プレート２１の内面側に折り畳んで天プレート２１に積層しながら、さらに、第２の周壁２２Ｂと第４の周壁２２Ｄを折り畳まれた第１の周壁２２Ａと第３の周壁２２Ｃに積層させて蓋体２を折り畳む状態を示している。この蓋体２は、例えば、接着箇所を糊付けして所定の立体形状に製函された蓋体２をコンパクトに折り畳みできる。この蓋体２は、４枚の周壁２２を天プレート２１側に折り畳みすることで、折り畳まれた蓋体２の外形を天プレート２１の外形に等しくしながらコンパクトに折り畳むができる。このように折り畳まれた蓋体２は、省スペースに梱包されて出荷できる。
【００６７】
図１３に示す蓋体２は、第１の周壁２２Ａ及び第３の周壁２２Ｃを折曲ライン２７で折曲して、第１の周壁２２Ａ及び第３の周壁２２Ｃを天プレート２１の外側に展開しながら、第２の周壁２２Ｂ及び第４の周壁２２Ｄを天プレート２１に積層させて蓋体２を折り畳みする状態を示している。この蓋体２は、例えば、使用後において、立体形状の蓋体２の糊付け部分等を剥離して分解することなく、第１の周壁２２Ａ及び第３の周壁２２Ｃに設けた折曲ライン２７に沿って第１の周壁２２Ａと第３の周壁２２Ｃを折曲することで、簡単にしかも短時間で蓋体２を薄い板状に折り畳んで廃棄処分できる。
【００６８】
以上の図に示す蓋体２は、外形を長方形とする天プレート２１の長辺の長さ（Ｌ１）を周壁２２の高さ（ｈ）の２倍以上としている。この蓋体２は、折り畳まれた第２の周壁２２Ｂと第４の周壁２２Ｄとを互いにラップさせることなくコンパクトに折り畳みできる。ただ、蓋体２は、天プレート２１の長辺の長さ（Ｌ１）を周壁２２の高さ（ｈ）の２倍未満とすることもできる。この蓋体２は、折り畳まれた第２の周壁２２Ｂと第４の周壁２２Ｄとを互いにラップさせる状態で折り畳まれる。
【００６９】
（段ボール紙）
以上の箱本体１と蓋体２は、箱形に製函された状態で充分な強度を有するように、所定の厚みのある原紙であって、例えば、段ボール紙で製造される。段ボール紙で製造される箱本体１は、好ましくは、被係合部５が形成される第１の側壁１２Ａ及び第３の側壁１２Ｃについては、段ボール紙の中間層であるコルゲート紙の波形の筋が底プレート１１に対して垂直方向となる向きに配置され、面取り部６が形成される第２の側壁１２Ｂ及び第４の側壁１２Ｄについては、コルゲート紙の波形の筋が底プレート１１に対して平行な水平方向となる向きに配置することができる。この構造は、被係合部５が形成される第１の側壁１２Ａ及び第３の側壁１２Ｃとなる段ボール紙のコルゲート紙の波形の筋を底プレート１１に対して垂直な方向とするので、上下方向の力に対する強度を高くして、蓋体２を連結する状態で、蓋体２からの荷重をより安定して支持できる特徴がある。また、面取り部６が形成される第２の側壁１２Ｂ及び第４の側壁１２Ｄとなる段ボール紙のコルゲート紙の波形の筋を底プレート１１に対して平行な水平方向とするので、底プレート１１と外側壁１３の境界部分の角部において、水平方向に延びるコルゲート紙の波形の筋に沿って面取り部６を簡単に形成できる特徴がある。
【００７０】
また、段ボール紙で製造される蓋体２は、好ましくは、係合部４の挿入片４１が形成される第１の周壁２２Ａ及び第３の周壁２２Ｃについては、段ボール紙の中間層であるコルゲート紙の波形の筋が天プレート２１に対して垂直方向となる向きに配置され、第２の周壁２２Ｂ及び第４の周壁２２Ｄについては、コルゲート紙の波形の筋が天プレート２１に対して平行な水平方向となる向きに配置される。この構造は、位置決連結部３が形成される第１の周壁２２Ａ及び第３の周壁２２Ｃとなる段ボール紙のコルゲート紙の筋を天プレート２１に対して垂直な方向とするので、上下方向の力に対する強度を高くして、箱本体１に連結する状態で、蓋体２にかかる荷重をより安定して支持できる特徴がある。
【００７１】
ただ、箱本体は、位置決連結部の被係合部が形成される第１の側壁及び第３の側壁となる段ボール紙のコルゲート紙の波形の筋を底プレートに対して平行な水平方向とし、第２の側壁及び第４の側壁となる段ボール紙のコルゲート紙の波形の筋を底プレートに対して垂直方向とすることもできる。また、蓋体は、位置決連結部の挿入片が形成される第１の周壁及び第３の周壁となる段ボール紙のコルゲート紙の波形の筋を天プレートに対して平行な水平方向とし、第２の周壁及び第４の周壁となる段ボール紙のコルゲート紙の波形の筋を底プレートに対して垂直方向とすることもできる。
【００７２】
（陳列方法）
以上の収納箱１００は、図１４に示すように蓋体２を外した状態で、箱本体１の上方開口部１Ａから収納物９を突出する状態で収納物９を展示できる。とくに、箱本体１の側壁１２を低くすることで、この側壁１２の上端から突出する収納物９を外部に露出させて、収納物９の外装や表示を視認しやすくできる。
【００７３】
さらに、この収納箱１００は、図１５に示すように、蓋体２を上下反転して挿入片４１を上向きの姿勢とする姿勢で箱本体１の下側に配置すると共に、周壁２２の開口部の内側に、上方開口の姿勢の箱本体１を配置して、この箱本体１を蓋体２の開口部の内側に配置しながら展示することができる。蓋体２の開口部に配置される箱本体１は、位置決連結部３を介して蓋体２の所定の位置に連結することができる。図に示すように、蓋体２の開口部に配置される箱本体１の挿入部５１に蓋体２の挿入片４１を挿入し、位置決め部４２を挿入部５１の開口縁５２に当接させる。この状態で箱本体１の側壁１２を蓋体２の周壁２２で支持して、箱本体１を蓋体２の開口部に配置できる。この状態で、箱本体１は、上方開口の姿勢で蓋体２の開口部に配置されて、箱本体１自身を収納箱１００が設置される設置面から底上げした状態としながら収納物９を展示できる。このため、箱本体１に展示された収納物９を、簡単かつ確実に支持しながら所定の高さに安定して配置できる。
【００７４】
とくに、このとき、挿入片４１の突出量（ｔ）を、側壁１２の内部に挿入された係合状態で、その先端縁が側壁１２の上端の内面に当接する長さとすることで、安定して箱本体１を支持することができる。とくに、側壁１２は、外側壁１３の先端に幅狭連結部１５を介して内側壁１４を設けて、この内側壁１４を外側壁１３の内側に折り返す二重壁構造としているので、外側壁１３の挿入部５１に挿入された挿入片４１の先端を幅狭連結部１５の内面に当接させて確実に支持できる。したがって、箱本体１に収納される収納物９の荷重により位置決連結部３に荷重が作用する状態においても、二重壁構造の側壁１２を介して安定して支持できる。
【００７５】
なお、以上の実施の形態の収納箱１００は、平面視を長方形とする箱本体１と蓋体２の対向する辺であって、長方形の長辺側に配設された側壁１２と周壁２２とに位置決連結部３を設けているが、収納箱は、長方形の短辺側に配設された側壁と周壁とに位置決連結部を設けることもできる。さらに、収納箱は、長方形の３辺に配設された側壁と周壁とに位置決連結部を設けることも、あるいは、長方形の４辺に配設された側壁と周壁とに位置決連結部を設けることもできる。とくに、長方形の４辺に配設された側壁と周壁に位置決連結部を設ける構造は、蓋体の周壁を箱本体の四方で支持できるので、安定して支持できる。
【００７６】
（他の実施例）
以上の実施の形態の収納箱１００は、箱本体１の底プレート１１を長方形とすると共に、底プレート１１の四方を囲む側壁１２の高さ（ｈ）を等しくして、箱本体１の上方開口部１Ａを水平面内において開口している。ただ、本発明の収納箱は、箱本体の四方を囲む側壁の高さを必ずしも等しくする必要はなく、底プレートの四方を囲む側壁を異なる高さとして、箱本体の上方開口部を水平面から傾斜する姿勢として開口することもできる。以下、本発明の他の実施の形態にかかる収納箱を図１６〜図２１に基づいて詳述する。なお、これ等の図において、前述の実施例と同じ構成要素については、同符号を付してその詳細な説明を省略する。
【００７７】
図１６に示す収納箱２００は、箱本体１の底プレート１１を長方形として、底プレート１１の４辺に連結された４つの側壁１２のうち、互いに対向する第１の側壁１２Ａ及び第３の側壁１２Ｃを異なる高さとしている。図１６の箱本体１は、第１の側壁１２Ａの高さ（ｈ１）を第３の側壁１２Ｃの高さ（ｈ３）よりも高く形成している。さらに、箱本体１は、互いに対向する第２の側壁１２Ｂ及び第４の側壁１２Ｄの上端縁を、第３の側壁１２Ｃの上端から第１の側壁１２Ａの上端に向かって上り勾配で傾斜させており、第２の側壁１２Ｂ及び第４の側壁１２Ｄの形状を台形状としている。この箱本体１は、第１の側壁１２Ａを第３の側壁１２Ｃよりも高くするので、蓋体２を外した状態では、高さの高い第１の側壁１２Ａ側を背面側とし、高さの低い第３の側壁１２Ｃ側を正面側として、箱本体１の前後の向きを特定できる。このため、蓋体２を外した状態では、高さの低い第３の側壁１２Ｃ側を正面側として、収納スペース１０に収納される収納物の向きを揃えて、収納物の外装や表示を視認しやすく展示できる。また、第１の側壁１２Ａを高くすることで、背面側となる第１の側壁１２Ａ側に収納される収納物を倒れ難くでき、安定して支持しながら保持できる。
【００７８】
以上の収納箱２００は、第１の側壁１２Ａの高さ（ｈ１）を第３の側壁１２Ｃの高さ（ｈ３）よりも高く形成するが、第１の側壁１２Ａの高さ（ｈ１）を周壁２２の高さ（Ｈ）よりも低く形成している。したがって、この収納箱２００は、箱本体１が蓋体２の内部深くまで入り込まないように、蓋体２の周壁２２と箱本体１の側壁１２とを位置決連結部３で位置決めしながら連結している。図１６の収納箱２００は、外形を長方形とする底プレート１１及び天プレート２１の対向する辺に配設された側壁１２と周壁２２に位置決連結部３を設けており、これ等の位置決連結部３を介して、箱本体１と蓋体２とを位置決めしながら連結している。図１６の収納箱２００は、長方形の長辺側であって、箱本体１の高さが異なる第１の側壁１２Ａ及び第３の側壁１２Ｃと、蓋体２の第１の周壁２２Ａ及び第３の周壁２２Ｃとに位置決連結部３を設けている。この収納箱２００は、蓋体２の第１の周壁２２Ａ及び第３の周壁２２Ｃに形成された係合部４が、箱本体１の第１の側壁１２Ａ及び第３の側壁１２Ｃに形成された被係合部５に係合されて定位置で連結される。
【００７９】
さらに、図１７〜図１９に示す収納箱３００も、箱本体１の底プレート１１を長方形とし、底プレート１１の４辺に連結された４つの側壁１２のうち、互いに対向する第１の側壁１２Ａ及び第３の側壁１２Ｃを異なる高さとして、第１の側壁１２Ａの高さ（ｈ１）を第３の側壁１２Ｃの高さ（ｈ３）よりも高く形成しているが、この箱本体１は、第１の側壁１２Ａの高さ（ｈ１）を、周壁２２の高さ（Ｈ）とほぼ等しくしている。この収納箱３００は、図１８に示すように、箱本体１に蓋体２を被せた状態では、第１の側壁１２Ａの上端が蓋体２の天プレート１２に当接するようにしている。この収納箱３００は、蓋体２にかかる荷重を第１の側壁１２Ａで支持することができるので、収納箱３００の耐荷重を大きくできる。
【００８０】
さらに、図１７と図１８の箱本体１と蓋体２は、箱本体１の第３の側壁１２Ｃ側において、位置決連結部３によって側壁１２と周壁２２とを位置決めしながら連結している。図１７と図１８の箱本体１と蓋体２は、第３の側壁１２Ｃと、この第３の側壁１２Ｃと対向する周壁２２、すなわち、第３の周壁２２Ｃとに位置決連結部３が設けられており、この位置決連結部３によって第３の側壁１２Ｃと第３の周壁２２Ｃとが連結されている。この箱本体１と蓋体２は、第３の周壁２２Ｃに形成された係合部４が、第３の側壁１２Ｃに形成された被係合部５に係合されて定位置で連結される。
【００８１】
以上の収納箱３００は、箱本体１に蓋体２を被せた状態において、第１の側壁１２Ａ側では、第１の側壁１２Ａの上端を蓋体２の天プレート２２に当接させて蓋体２を支持し、第３の側壁１２Ｃ側では、位置決連結部３によって第３の側壁１２Ｃで第３の周壁２２Ｃを支持する。このため、対向する第１の側壁１２Ａと第３の側壁１２Ｃによって、蓋体２にかかる荷重を安定して支持でき、収納箱３００の変形や収納物の破損等を確実に防止できる。この収納箱３００は、複数の位置決め連結部を設けることなく、箱本体３００の第３の側壁１２Ｃ側に１つの位置決連結部３を設ける簡単な構造としながら、蓋体２を安定して支持できる。
【００８２】
図１７に示す収納箱３００は、箱本体１の両側に配置された第２の側壁１２Ｂ及び第４の側壁１２Ｄの上端縁を、第３の側壁１２Ｃの上端から第１の側壁１２Ａの上端に向かって上り勾配で傾斜させて、第２の側壁１２Ｂ及び第４の側壁１２Ｄの形状を台形状としている。とくに、図１７に示す箱本体１は、第２の側壁１２Ｂと第４の側壁１２Ｄの側縁であって、第１の側壁１２Ａ側の側縁の高さを第１の側壁１２Ａの高さ（ｈ１）と等しくしている。この箱本体１は、高さの高い第１の側壁１２Ａを、両側に配置された第２の側壁１２Ｂと第４の側壁１２Ｄとで確実に支持できる特徴がある。
【００８３】
ただ、第１の側壁を第３の側壁よりも高く形成する箱本体は、図１７の鎖線で示すように、第２の側壁１２Ｂと第４の側壁１２Ｄの側縁であって、第１の側壁１２Ａ側の側縁の高さを第１の側壁１２Ａの高さ（ｈ１）よりも低くすることができる。この箱本体は、第２の側壁と第４の側壁の形状を台形状又は長方形状としながら、第１の側壁を第２の側壁及び第４の側壁から突出させた形状として、第１の側壁の上端を蓋体の天プレートに当接する高さまで延長することができる。この構造は、背面側に配置される第１の側壁を高く形成して蓋体の天プレートを支持できる構造としながら、第２の側壁及び第４の側壁を低く形成して、収納物を両側から見やすくできる。
【００８４】
図１８に示す箱本体１と蓋体２は、第１の側壁１２Ａの高さ（ｈ１）を、周壁２２の高さ（Ｈ）と等しくすることで、箱本体１に蓋体２を被せる状態では、第１の側壁１２Ａの上端が蓋体２の天プレート１２に当接するようにしている。さらに、図１７と図１８に示す収納箱３００は、箱本体１に蓋体２を被せた状態では、蓋体２の周壁２２の下端縁が箱本体１の底面１Ｂと同一平面上に配置されるようにしている。この収納箱３００は、蓋体２を第１の側壁１２Ａで支持することと、蓋体２の周壁２２の下端を設置面７０に接触させて支持することの相乗効果で、収納箱３００の耐荷重をさらに大きくできる。
【００８５】
ただ、箱本体と蓋体は、第１の側壁の高さ（ｈ１）を、周壁の高さ（Ｈ）より高く形成することもできる。この構造の収納箱は、図示しないが、箱本体に蓋体を被せた状態では、第１の側壁の上端が蓋体の天プレートに当接するが、蓋体の周壁の下端は側壁の下端まで届くことなく、箱本体の下面より上側に配置される。このため、第３の側壁側に設けられる位置決め連結部は、第３の周壁の係合部を第３の側壁の被係合部に係合させた状態で、周壁の下端が側壁の下端より上側に配置されるように、挿入部と挿入片が形成される。この蓋体は、周壁の下端縁が、箱本体の底面と同一平面上に配置されることなく、箱本体の底面から多少高い位置であって、底面と平行な姿勢となるように配置される。
【００８６】
さらに、箱本体の第１の側壁１２Ａの高さ（ｈ１）を第３の側壁１２Ｃの高さ（ｈ３）よりも高く形成する収納箱４００は、図２０に示す構造とすることもできる。この収納箱４００は、外形を長方形とする底プレート１１及び天プレート２１の対向する辺に配設された側壁１２と周壁２２に位置決連結部３を設けるが、前述の図１６に示す収納箱２００とは異なり、長方形の短辺側であって、箱本体１の両側に位置する台形状の第２の側壁１２Ｂ及び第４の側壁１２Ｄと、蓋体２の第２の周壁２２Ｂ及び第４の周壁２２Ｄとに位置決連結部３を設けている。この収納箱４００は、蓋体２の第２の周壁２２Ｂ及び第４の周壁２２Ｄに形成された係合部４が、箱本体１の第２の側壁１２Ｂ及び第４の側壁１２Ｄに形成された被係合部５に係合されて定位置で連結される。
【００８７】
図２０に示す箱本体２０は、第１の側壁１２Ａの高さ（ｈ１）を、蓋体の周壁の高さ（Ｈ）とほぼ等しくしており、第１の側壁１２Ａの上端を蓋体２の天プレート２２に当接させてこれを支持するようにしている。したがって、蓋体２をより安定して支持できる特徴がある。ただ、箱本体は、対向する側面に設けた一対の位置決連結部を介して蓋体を位置決めしながら支持できるので、第１の側壁を、蓋体の周壁よりも低くすることもできる。
【００８８】
さらに、図２０に示す収納箱４００は、位置決連結部２が設けられる側壁１２に対して面取り部６を設けている。図に示す箱本体１は、長方形の底プレート１１の短辺側に連結された第２の側壁１２Ｂ及び第４の側壁１２Ｄと底プレート１１との境界部分に面取り部６を設けている。この収納箱４００は、箱本体１と蓋体２との連結状態では、第２の周壁２２Ｂと第４の周壁２２Ｄに設けた挿入片４１が第２の側壁１２Ｂ及び第４の側壁１２Ｄに設けた挿入部５１に挿入されるので、位置決連結部３の係合状態においては、実質的には、第２の周壁２２Ｂと第４の周壁２２Ｄとに切欠部２８が形成された状態となる。したがって、この切欠部２８を通して、設置面と面取り部６との間に指を差し込んで収納箱１００を容易に持ち上げることができ、また、この切欠部２８に指を差し込んで、容易に蓋体２を外すことができる。
【００８９】
さらに、図２０に示す収納箱４００も、図２１に示すように、蓋体２を上下反転して挿入片４１を上向きの姿勢とする姿勢で箱本体１の下側に配置すると共に、周壁２２の開口部の内側に、上方開口の姿勢の箱本体１を配置して、この箱本体１を蓋体２の開口部の内側に配置しながら展示することができる。蓋体２の開口部に配置される箱本体１は、位置決連結部３を介して蓋体２の所定の位置に連結される。すなわち、蓋体２の挿入片４１が箱本体１の挿入部５１に挿入されて定位置で連結される。これにより、箱本体１自身を設置面から底上げした状態としながら収納物９を展示できる。
【００９０】
ここで、図２１に示す収納箱４００は、第１の側壁１２Ａを第３の側壁１２Ｃよりも高くしており、高さの低い第３の側壁１２Ｃ側を正面側として、箱本体１の前後の向きが特定される。このため、箱本体１と蓋体２は、第３の側壁１２Ｃ側を正面側とする姿勢において、左右に位置する第２の側壁１２Ｂ及び第４の側壁１２Ｄと、蓋体２の第２の周壁２２Ｂ及び第４の周壁２２Ｄとが連結され、陳列状態においては、これ等の連結部分を正面側から目立たないように配置できる。とくに、図２１に示す陳列状態において、収納箱４００は、正面側となる第３の側壁１２Ｃ側には位置決連結部３を設けていないので、正面側をスッキリとした美しいデザインとして外観良く展示できる特徴がある。
【００９１】
（台紙シート６３）
以上のように、第１の側壁１２Ａを第３の側壁１２Ｃよりも高くし、第２の側壁１２Ｂと第４の側壁１２Ｄを台形状とする箱本体１は、図１９に示すように、原紙を所定のパターンに裁断してなる台紙シート６３を折曲ライン１９で折曲し、さらに、係止箇所が係止されて所定の形状に製函される。ここで、図１９は、図１７に示す箱本体１の展開図であって、原紙を所定のパターンに裁断した台紙シート６３を示している。この台紙シート６３は、製函機を使用することなく、人手で箱本体１に製函される。図示しないが、図１６及び図２０に示す箱本体１も、側壁の高さや形状、位置決連結部を構成する被係合部の数や場所が変更されるが、図１９と同様のパターンに裁断された台紙シートを製函して製造することができる。
【００９２】
図１９に示す台紙シート６３は、外形を長方形とする底プレート１１と、底プレート１１の４辺に連結されて４つの側壁１２を形成するシート片を備えている。底プレート１１の４辺に連結される各シート片は、底プレート１１の外周縁に連設された外側壁１３と、この外側壁１３の先端側に連結された内側壁１４と、外側壁１３と内側壁１４の間に形成された幅の狭い幅狭連結部１５とを備えている。底プレート１１、外側壁１３、幅狭連結部１５、及び内側壁１４は、各々の境界縁を折曲ライン１９として互いに連結している。
【００９３】
第１の側壁１２Ａを形成するシート片は、第３の側壁１２Ｃを形成するシート片よりも底プレート１１からの突出量を大きくしている。正確には、第１の側壁１２Ａを形成するシート片は、第３の側壁１２Ｃを形成するシート片よりも外側壁１３と内側壁１４の長さを長くしている。また、第２の側壁１２Ｂと第４の側壁１２Ｄを形成するシート片は、外側壁１３と内側壁１４の形状を台形状とすると共に、台形状の外側壁１３と内側壁１４の斜辺を幅の狭い幅狭連結部１５で連結する構造としている。
【００９４】
さらに、互いに隣り合う側壁１２同士を所定の姿勢で連結するために、対向する側壁１２の両側縁には連結片１６を連設して設けている。この連結片１６は、外側壁１３の側縁と内側壁１４の側縁にそれぞれ連設して設けられている。図１９に示す台紙シート６３は、第２の側壁１２Ｂと第４の側壁１２Ｄを形成する台形状の外側壁１３の両側縁に連結片１６Ａを、内側壁１４の両側縁に連結片１６Ｂをそれぞれ連設して設けている。図１９に示す第２の側壁１２Ｂ及び第４の側壁１２Ｄは、内側壁１４と連結片１６Ｂとの境界部に切り欠き１７が設けられており、第１の側壁１２Ａ及び第３の側壁１２Ｃの内側壁１４が内側に折り返される状態では、折り返される内側壁１４の両側縁に設けた係止部１４Ｂを係止して、係止構造で箱形に保形されるようにしている。さらに、第１の側壁１２Ａ及び第３の側壁１２Ｃの内側壁１４は、先端縁に、指を係合可能な半円状の切り欠き１４Ａが設けられている。
【００９５】
さらに、図１９に示す台紙シート６３は、第３の側壁１２Ｃを形成するシート片の外側壁１３の中央部に被係合部５となる挿入部５１と押し込み片５３とを設けている。図１７と図１８に示す収納箱３００は、第３の側壁１２Ｃ側にのみに位置決連結部３を設けるので、図に示す台紙シート６３は、第３の側壁１２Ｃの外側壁１３にのみ被係合部５を設けている。ただ、図１７と図１８に示す構造の収納箱は、対向する第１の側壁及び第３の側壁に位置決連結部を設けることもできる。この箱本体を製造する台紙シートは、図１９の鎖線で示すように、第１の側壁１２Ａを形成するシート片の外側壁１３にも被係合部５となる挿入部５１と押し込み片５３とが設けられる。
【００９６】
図１９に示す台紙シート６３は、以下のようにして製函される。
（１）第２の側壁１２Ｂ及び第４の側壁１２Ｄの外側壁１３を底プレート１１との境界の折曲ライン１９で折曲して、底プレート１１に対して略垂直姿勢で立設すると共に、幅狭連結部１５の両側の折曲ライン１９を略直角に折曲して、内側壁１４を外側壁１３の内側に折り返す。
（２）さらに、第２の側壁１２Ｂ及び第３の側壁１２Ｂの内側壁１４の両側縁に連設された連結片１６Ｂと外側壁１３の両側縁に連設された連結片１６Ａとを両側の折曲ライン１９で内側に折曲する。
（３）第１の側壁１２Ａ及び第３の側壁１２Ｃの外側壁１３を底プレート１１との境界の折曲ライン１９で折曲して、底プレート１１に対して略垂直姿勢で立設すると共に、幅狭連結部１５の両側の折曲ライン１９を略直角に折曲して、内側壁１４を外側壁１３の内側に折り返す。このとき、外側壁１３と内側壁１４の間に、連結片１６Ａ、１６Ｂを挟み込む。
（４）折り返された内側壁１４の両側縁に設けた係止部１４Ｂを、隣接する内側壁１４の両側縁に形成された切り欠き１７に案内して係止する。
【００９７】
以上のように、台紙シート６３は、外側壁１３を底プレート１１に対して略垂直姿勢で立設し、内側壁１４を外側壁１３の内側に折り返して二重壁構造の側壁１２を形成すると共に、隣接する側壁１２同士を、連結片１６を介して連結し、さらに、折り返された内側壁１４同士を互いに係止箇所において係止構造で連結して、所定の箱形の箱本体１に製函される。
【００９８】
以上の実施の形態の収納箱１００は、箱本体１の底プレート１１及び蓋体２の天プレート２１の外形を長方形とし、底プレート１１の四方を囲む側壁１２を備える箱本体１と、天プレート２１の四方を囲む周壁２２を備える蓋体２とで構成したが、本発明は、箱本体の底プレート及び蓋体の天プレートの外形を多角形状（例えば、六角形や八角形）とし、あるいは円形や楕円形、長円形状とすることもできる。これ等の形状の収納箱も、底プレートの周囲に立設される側壁と天プレートの周囲に立設される周壁の複数箇所、例えば対向する位置に位置決連結部を設けて、これらの位置決め連結部を介して周壁の係合部を側壁の被係合部で支持して、蓋体を箱本体の所定の位置で連結させることができる。
【産業上の利用可能性】
【００９９】
本発明の収納箱は、筒状の柱状の容器や箱を外装とする収納物や袋入りの収納物等を立てた姿勢で収納する収納箱として好適に利用できる。
【符号の説明】
【０１００】
１００、２００、３００、４００…収納箱
１…箱本体
１Ａ…上方開口部
１Ｂ…底面
２…蓋体
３…位置決連結部
４…係合部
５…被係合部
６…面取り部
９…収納物
１０…収納スペース
１１…底プレート
１２…側壁
１２Ａ…第１の側壁
１２Ｂ…第２の側壁
１２Ｃ…第３の側壁
１２Ｄ…第４の側壁
１３…外側壁
１４…内側壁
１４Ａ…切り欠き
１４Ｂ…係止部
１５…幅狭連結部
１６…連結片
１６Ａ…連結片
１６Ｂ…連結片
１７…切り欠き
１９…折曲ライン
２０…収納スペース
２１…天プレート
２２…周壁
２２Ａ…第１の周壁
２２Ｂ…第２の周壁
２２Ｃ…第３の周壁
２２Ｄ…第４の周壁
２３…連結片
２７…折曲ライン
２８…切欠部
２９…折曲ライン
４１…挿入片
４２…位置決め部
４３…凹部
５１…挿入部
５２…開口縁
５３…押し込み片
５４…切り込み
５５…折曲部
６１…台紙シート
６１Ａ…台紙シート
６１Ｂ…台紙シート
６２…台紙シート
６２Ａ…台紙シート
６２Ｂ…台紙シート
６３…台紙シート
７０…設置面
【図１】
0006549391.tif 000002
【図２】
0006549391.tif 000003
【図３】
0006549391.tif 000004
【図４】
0006549391.tif 000005
【図５】
0006549391.tif 000006
【図６】
0006549391.tif 000007
【図７】
0006549391.tif 000008
【図８】
0006549391.tif 000009
【図９】
0006549391.tif 000010
【図１０】
0006549391.tif 000011
【図１１】
0006549391.tif 000012
【図１２】
0006549391.tif 000013
【図１３】
0006549391.tif 000014
【図１４】
0006549391.tif 000015
【図１５】
0006549391.tif 000016
【図１６】
0006549391.tif 000017
【図１７】
0006549391.tif 000018
【図１８】
0006549391.tif 000019
【図１９】
0006549391.tif 000020
【図２０】
0006549391.tif 000021
【図２１】
0006549391.tif 000022